(57)【要約】【課題】  カードの汚れを防止しながらもカードの取り出しが容易なカードホルダーを提供する。【解決手段】  カードホルダー１は、カードＣＤの前面を完全に覆う前板２と、前板２に結合してカードＣＤの後面を完全に覆う後板３とを備える。後板３は、前板２に対して固定されカードＣＤの後面の下端部を覆う固定部３１と、ヒンジ部３２を介して固定部３１の上端に連結された可動部３３とを有する。可動部３３は、カードＣＤの上端部を露出させる開位置と、カードＣＤの上端部の後面を覆う閉位置との間で、固定部３１に対して回転可能となっている。可動部３３を閉位置とした状態ではカードＣＤの両面が完全に覆われてカードＣＤの汚れが防止される。また、カードＣＤを取り出す際には可動部３３を開位置に変位させ露出したカードＣＤの上端部の後面に指をかけることで容易にカードＣＤを取り出すことができる。【選択図】図１
2009274355.tif 000002
【特許請求の範囲】
【請求項１】
透明な材料からなりカードの厚さ方向の一面を完全に覆う前板と、前板に結合して前板との間にカードを保持しカードの厚さ方向の他面を完全に覆う後板とを備え、
後板は、カードの下端部が収納される収納凹部を前板の下端部との間に構成する固定部、並びに、収納凹部に下端部が収納されたカードの上端部を露出させる開位置と、前板との間で前記カードの上端部を覆う閉位置との間で、固定部に対して回転可能に連結された可動部を有し、
前板には、後板の可動部に対して係脱自在であって後板の可動部を閉位置に保持する係止部が設けられていることを特徴とするカードホルダー。
【請求項２】
後板は不透明な材料からなることを特徴とする請求項１記載のカードホルダー。
【請求項３】
前板は閉位置の可動部を左右両側から挟む挟み部を有し、
係止部は、各挟み部にそれぞれ設けられ、閉位置の可動部の左右の一方ずつの端面に凹凸係合することを特徴とする請求項１又は請求項２記載のカードホルダー。
【発明の詳細な説明】
【技術分野】
【０００１】
本発明は、カードホルダーに関するものである。
【背景技術】
【０００２】
従来から、厚さ方向の一面（以下、「前面」と呼ぶ。）に名前や所属が記載されたＩＣカードや名札等のカードを、カードの前面が見えるような形で保持するカードホルダーが提供されている。この種のカードホルダーは、例えば、ストラップによって首から吊下げたり、安全ピンによって衣服の胸部に装着されたりして携行される。
【０００３】
従来のカードホルダーは、全体として、カードを出し入れするための挿抜口を有する袋状に形成されていた。また、従来のカードホルダーでは、カードの取り出しを容易とするために、カードの厚さ方向の一面の一部を露出させる露出開口が設けられていた（例えば、特許文献１参照）。すなわち、カードホルダーからカードを取り出す際には、カードにおいて露出開口から露出した部位に指をかけ、カードを厚さ方向に直交する方向にスライドさせて挿抜口から取り出すことができる。
【特許文献１】特開２００６−２０１２００号公報
【発明の開示】
【発明が解決しようとする課題】
【０００４】
しかしながら、カードにおいて露出開口から露出した部位が汚れることにより、カードホルダーからカードを取り出した際に露出開口の形状の汚れが残って見栄えが悪くなりやすいという問題があった。
【０００５】
本発明は、上記事由に鑑みて為されたものであり、その目的は、カードの汚れを防止しながらもカードの取り出しが容易なカードホルダーを提供することにある。
【課題を解決するための手段】
【０００６】
請求項１の発明は、透明な材料からなりカードの厚さ方向の一面を完全に覆う前板と、前板に結合して前板との間にカードを保持しカードの厚さ方向の他面を完全に覆う後板とを備え、後板は、カードの下端部が収納される収納凹部を前板の下端部との間に構成する固定部、並びに、収納凹部に下端部が収納されたカードの上端部を露出させる開位置と、前板との間で前記カードの上端部を覆う閉位置との間で、固定部に対して回転可能に連結された可動部を有し、前板には、後板の可動部に対して係脱自在であって後板の可動部を閉位置に保持する係止部が設けられていることを特徴とする。
【０００７】
この発明によれば、可動部を閉位置とした状態ではカードの両面を覆ってカードの汚れを防止しながらも、カードを取り出す際には可動部を開位置として露出したカードの上端部の後面に指をかけることで容易にカードを取り出すことができる。また、カードを収納する際には、前板の上端部の後面、又は、後板の可動部の前面に沿ってカードをスライドさせることで、容易にカードを導入することができる。
【０００８】
請求項２の発明は、請求項１の発明において、後板は不透明な材料からなることを特徴とする。
【０００９】
この発明によれば、カードの後面に記載された、提示の必要がない情報を、後板によって隠すことができる。
【００１０】
請求項３の発明は、請求項１又は請求項２の発明において、前板は閉位置の可動部を左右両側から挟む挟み部を有し、係止部は、各挟み部にそれぞれ設けられ、閉位置の可動部の左右の一方ずつの端面に凹凸係合することを特徴とする。
【００１１】
この発明によれば、係止部を可動部の前後の面に凹凸係合させる場合に比べ、前後の寸法を小さくすることができる。
【発明の効果】
【００１２】
請求項１の発明によれば、透明な材料からなりカードの厚さ方向の一面を完全に覆う前板と、前板に結合して前板との間にカードを保持しカードの厚さ方向の他面を完全に覆う後板とを備え、後板は、カードの下端部が収納される収納凹部を前板の下端部との間に構成する固定部、並びに、収納凹部に下端部が収納されたカードの上端部を露出させる開位置と、前板との間で前記カードの上端部を覆う閉位置との間で、固定部に対して回転可能に連結された可動部を有するので、可動部を閉位置とした状態ではカードの表裏両面を覆ってカードの汚れを防止しながらも、カードを取り出す際には可動部を開位置として露出したカードの上端部の後面に指をかけることで容易にカードを取り出すことができる。また、カードを収納する際には、前板の上端部の後面、又は、後板の可動部の前面に沿ってカードをスライドさせることで、容易にカードを導入することができる。
【００１３】
請求項２の発明によれば、後板は不透明な材料からなるので、カードの後面に記載された、提示の必要がない情報を、後板によって隠すことができる。
【００１４】
請求項３の発明によれば、前板は閉位置の可動部を左右両側から挟む挟み部を有し、係止部は、各挟み部にそれぞれ設けられ、閉位置の可動部の左右の一方ずつの端面に凹凸係合するので、係止部を可動部の前後の面に凹凸係合させる場合に比べ、前後の寸法を小さくすることができる。
【発明を実施するための最良の形態】
【００１５】
以下、本発明を実施するための最良の形態について、図面を参照しながら説明する。
【００１６】
本実施形態のカードホルダー１は、図１及び図２に示すように、透明な合成樹脂からなりカードＣＤの厚さ方向の一面（前面）を完全に覆う前板２と、不透明な合成樹脂からなり前板２に結合して前板２との間にカードＣＤを厚さ方向から挟む形でカードＣＤを保持しカードＣＤの厚さ方向の他面（後面）を完全に覆う後板３とを備える。以下、上下左右は図１（ａ）を基準とし、図１（ｂ）の上下方向を前後方向と呼ぶ。
【００１７】
前板２は、前方から見て左右に長い長方形状であって前後に扁平な前壁２１と、本体部２１の下端から後方に突設された下壁２２と、前壁２１の左右両端からそれぞれ後方に突設され下端が下壁２２に連結された側壁２３とを有する。
【００１８】
後板３は、上方に開放されカードＣＤにおける厚さ方向に直交する方向での一端部（下端部）が収納される収納凹部１０を前板２の下端部との間に構成する固定部３１と、後板３の他の部位よりも薄肉に形成された直線状のヒンジ部３２と、ヒンジ部３２を介して固定部３１の上端に連結された可動部３３とを有する。
【００１９】
ここで、前板２の各側壁２３の後面において、それぞれ上下方向の中央部には、左右方向の内側と後方とに開放された凹部２３ａが設けられている。また、前板２において、前壁２１の左右両側であって上下方向の中央部と、前壁２１の下端部であって左右方向の中央部とには、それぞれ係合穴２１ａが前後に貫設されている。後板３において、固定部３１の左右両端には、それぞれ上記の凹部２３ａに係入する凸部３１ａが左右方向の外向きに突設されている。さらに、後板３の固定部３１において、上記の各凸部３１ａの前面と、前面の下端部であって左右方向の中央部とには、それぞれ係合穴２１ａに係入する係合凸部３１ｂが前方へ突設されている。また、各係合凸部３１ｂの後端部にはそれぞれ係合爪３１ｃが突設されている。係合爪３１ｃの突出方向は、左右両端部の各係合凸部３１ｂでは左右方向の外向きとされ、下端部の係合凸部３１ｂでは下向きとされている。そして、各係合凸部３１ｂがそれぞれ係合穴２１ａに挿通され、各係合爪３１ｃがそれぞれ前板２よりも前側に位置する（すなわち前板２に係合する）ことで、後板３の固定部３１は前板２に対して固定されている。ここにおいて、後板３の固定部３１の後面と、前板２の後板２２と各側壁２３との後面とは、略同一平面上に位置する。
【００２０】
また、可動部３３は、後板３がヒンジ部３２において折れ曲がるように変形することで、図１及び図２に示すように前板２との間でカードＣＤの上端部を覆う閉位置と、閉位置に対して上端部を後方へ変位させるように回転してカードＣＤの上端部の後面と上端面とを露出させる開位置との間で、固定部３１に対し、上端部を前後に変位させるように回転可能となっている。
【００２１】
以下、閉位置での向きを基準として可動部３３の形状について説明する。可動部３３は、前後に扁平であり後方から見て長方形状であって下端部がヒンジ部３２に連結され閉位置では固定部３１とともにカードＣＤの後面を覆う後壁３３ａと、後壁３３ａの上側に設けられ前面が後壁３３ａの前面よりも前方に突出して閉位置ではカードＣＤの上側に位置してカードＣＤの上方への脱落を防止する蓋部３３ｂとからなる。
【００２２】
ここで、前板２の各側壁２３は、それぞれ上端部が前壁２１よりも上方へ突出しており、この突出した部位において左右方向の内向きの面には、それぞれ係止凸部２３ｂが突設されている。後板３の蓋部３３ｂの後面の左右両端面には、それぞれ後方に開放された係止凹部３３ｃが設けられており、可動部３３を開位置から閉位置にさせる際には係止凸部２３ｂが係止凹部３３ｃに係入することで、可動部３３は閉位置に係止される。また、可動部３３を開位置と閉位置との間で変位させる際には前板２の側壁２３や後板３の可動部３３が弾性変形することで、係止凸部２３ｂは係止凹部３３ｃに対して係脱自在となっている。すなわち、各側壁２３の上端部がそれぞれ請求項における挟み部であり、係止凸部２３ｂが請求項における係止部である。このように左右方向の内向きの面に係止凸部２３ｂを設けていることにより、例えば係止凸部２３ｂを側壁２３の後面に設ける場合に比べ、カードホルダー１の前後の寸法（すなわち厚さ寸法）を小さく抑えることができる。なお、凹凸の関係は上記に限られず、例えば、前板２の各側壁２３にそれぞれ係止凹部を設けるとともに、後板３の可動部３３の左右両端面にそれぞれ上記の係止凹部に係脱自在に係入する係止凸部を設けてもよい。
【００２３】
さらに、後板３の可動部３３において蓋部３３ｂにはストラップ挿通穴３３ｄが前後に貫設されており、本実施形態のカードホルダー１は、ストラップ挿通穴３３ｄに挿通されたストラップ（図示せず）を首からかけて携行することができる。
【００２４】
上記構成によれば、可動部３３を閉位置とした状態ではカードＣＤの表裏両面が完全に覆われてカードＣＤの汚れが防止される。また、カードＣＤを取り出す際には可動部３３を開位置として露出したカードＣＤの上端部の後面に指をかけることで容易にカードＣＤを取り出すことができる。さらに、カードＣＤを収納する際には、前板２の上端部の後面、又は、後板３の可動部３３の後壁３３ｂの前面に沿ってカードＣＤをスライドさせることで、容易にカードＣＤを収納凹部１０に導入することができる。
【００２５】
また、後板３が不透明な合成樹脂からなるから、カードＣＤの後面に記載された、提示の必要がない情報を、後板３によって隠すことができる。
【００２６】
なお、上記構成ではカードＣＤは収納凹部１０に対して短手方向にスライドさせて挿抜するようになっているが、カードＣＤを収納凹部１０に対して長手方向にスライドさせて挿抜するようにしてもよい。具体的には、例えば図３に示すように、長手方向を上下方向に向けたカードＣＤの形状に合わせて上下に長い形状とする。図３の例では、下端部の係合穴２１ａ及び係合凸部３１ｂを設ける代わりに、左右両端部において係合穴２１ａ及び係合凸部３１ｂの組を上下に並べて２組ずつ設けている。その他の部分は寸法の変更以外は図1及び図２の例と共通であるので、対応する構成には同じ符号を付して説明を省略する。
【図面の簡単な説明】
【００２７】
【図１】（ａ）〜（ｆ）はそれぞれ本発明の実施形態を示し、（ａ）は正面図、（ｂ）は下面図、（ｃ）は背面図、（ｄ）は上面図、（ｅ）は右側面図、（ｆ）は（ａ）のＡ−Ａ断面図である。
【図２】同上を示す斜視図である。
【図３】（ａ）〜（ｃ）はそれぞれ同上の変更例を示し、（ａ）は正面図、（ｂ）は下面図、（ｃ）は背面図である。
【符号の説明】
【００２８】
１  カードホルダー
２  前板
３  後板
１０  収納凹部
２３ｂ  係止凸部（請求項における係止部）
３１  固定部
３３  可動部
ＣＤ  カード
【図１】
2009274355.tif 000003
【図２】
2009274355.tif 000004
【図３】
2009274355.tif 000005